【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
ＩＰモードでネットワークから少なくとも外部に対して通信するように構成された１つのＩＰアクセス・ポイントと、
少なくとも１つのポイントツーポイント通信プロトコルに従って少なくとも１つの端末と通信するように構成されたポイントツーポイント通信モジュールと、
前記ＩＰアクセス・ポイントを前記ポイントツーポイント通信モジュールと通信可能にさせるように構成された第１のインターフェースと、
を備え、
前記第１のインターフェースは、ＩＰモードで前記ＩＰアクセス・ポイントと通信する電子装置に対して、少なくとも１つの仮想ポートの形態で提示され、前記第１のインターフェースは、制御インストラクションにより、前記電子装置によって制御されるように構成される、ローカル無線通信装置。
【請求項２】
前記ポイントツーポイント通信モジュールは、シリアル無線リンクによって前記端末と通信するように構成されている、請求項１に記載のローカル無線通信装置。
【請求項３】
前記ポイントツーポイント通信モジュールは、「ＢＬＵＥＴＯＯＴＨ」プロトコルに従って、当該「ＢＬＵＥＴＯＯＴＨ」プロトコルにおける所定のシリアル・ポート・プロファイルを使用して前記端末と通信するように構成されている、請求項２に記載のローカル無線通信装置。
【請求項４】
前記ＩＰアクセス・ポイントは、インターネット・ネットワークと接続される、請求項１〜３の何れか１項に記載のローカル無線通信装置。
【請求項５】
ＩＰアクセス・ポイントは、前記インターネット・ネットワークにアクセスするのに適したＡＤＳＬインターフェースからなる、請求項４に記載のローカル無線通信装置。
【請求項６】
前記ＩＰアクセス・ポイントは、ＩＰモードでローカル電子装置と通信する、請求項１〜５の何れか１項に記載のローカル無線通信装置。
【請求項７】
前記ＩＰアクセス・ポイントは、ＩＥＥＥ８０２．１１規格に従った無線チャンネルによって、ＩＰモードで無線電子装置と通信する、請求項６に記載のローカル無線通信装置。
【請求項８】
前記ＩＰアクセス・ポイントは、ＵＳＢリンクとイーサーネット・リンクとの間で選択されたリンクによって、ＩＰモードで前記ローカル電子装置と通信する、請求項６に記載のローカル無線通信装置。
【請求項９】
前記電子装置を備え、当該電子装置は、前記仮想ポートの開放中に、前記アクセス・ポイントに対応する所定のＩＰアドレスに接続され、「ＡＴ」インストラクションによって前記第１のインターフェースを制御するように構成される、請求項１〜８の何れか１項に記載のローカル無線通信装置。
【請求項１０】
前記第１のインターフェースは、無線によって前記ポイントツーポイント通信モジュールと通信するように構成された幾つかの端末にそれぞれ対応する幾つかの仮想シリアル・ポートの形態で、前記ＩＰアクセス・ポイントと通信する前記電子装置に提示されるように構成される、請求項１〜９の何れか１項に記載のローカル無線通信装置。
【請求項１１】
前記第１のインターフェースは、前記ＩＰアクセス・ポイントと通信する電子装置に対し、前記ポイントツーポイント通信モジュールが通信可能な幾つかの端末を示し、前記電子装置および前記端末との間の通信を前記ＩＰアクセス・ポイントと通信する前記電子装置から受信したコマンドに従ってルーティングするように構成される、請求項１〜１０の何れか１項に記載のローカル無線通信装置。
【請求項１２】
前記ＩＰアクセス・ポイントと通信する前記電子装置に対し、前記第１のインターフェースによって示された前記端末は、所定の端末であり、当該インターフェースによって予め認識される、請求項１１に記載のローカル無線通信装置。
【請求項１３】
前記第１のインターフェースは、前記ＩＰアクセス・ポイントによってＩＰモードで少なくとも１つの電子装置と通信し、当該電子装置は、少なくとも１つの機能を提供するように構成され、前記ポイントツーポイント通信モジュールは、前記機能を提供する装置として前記端末に提示されるように構成される、請求項１〜１２の何れか１項に記載のローカル無線通信装置。
【請求項１４】
前記ポイントツーポイント通信モジュールは、前記端末に対し、幾つかの機能を提供する幾つかの装置として提示されるように構成される、請求項１３に記載のローカル無線通信装置。
【請求項１５】
前記ポイントツーポイント通信モジュールは、「ＢＬＵＥＴＯＯＴＨ」プロトコルに従って前記端末と通信し、「ＢＬＵＥＴＯＯＴＨ」モードにおいて自己を前記幾つかの装置のように識別させるように構成される、請求項１４に記載のローカル無線通信装置。
【請求項１６】
前記ポイントツーポイント通信モジュールは、前記端末に対し、少なくともプリンタのように提示され、前記端末からプリントされ、受信されるデータをＩＰモードで前記ＩＰアクセス・ポイントと通信するプリンタにルーティングするように構成される、請求項１３〜１５の何れか１項に記載のローカル無線通信装置。
【請求項１７】
前記ポイントツーポイント通信モジュールは、少なくともシリアル・ポートのように前記端末に提示され、前記端末によって、ＩＰモードで前記ＩＰアクセス・ポイントと通信する電子装置に対して開始される通信をルーティングするように構成される、請求項１３〜１６の何れか１項に記載のローカル無線通信装置。
【請求項１８】
前記端末は、パーソナル・ディジタル・アシスタントであり、前記電子装置は、ＩＰモードで前記ＩＰアクセス・ポイントとローカル通信するコンピュータであり、前記ディジタル・アシスタントおよび前記コンピュータは、前記ディジタル・アシスタントに格納されたデータおよび前記コンピュータに格納されたデータに従って所定のファイルを相互に更新するように構成される、請求項１７に記載のローカル無線通信装置。
【請求項１９】
前記第１のインターフェースは、少なくとも前記端末に対し、前記端末が前記ＩＰアクセス・ポイントによってＩＰモードで通信可能なエンティティを示し、前記端末から受信したコマンドに従って、前記端末および前記エンティティとの間の通信の少なくとも幾らかをルーティングするように構成される、請求項１〜１８の何れか１項に記載のローカル無線通信装置。
【請求項２０】
前記第１インターフェースは、前記端末によって自動的に所定のエンティティに向かって開始される通信の少なくとも幾らかをルーティングするように構成される、請求項１〜１９の何れか１項に記載のローカル無線通信装置。
【請求項２１】
前記第１のインターフェースは、「ＯＢＥＸ」プロトコルに従って、一端にある前記アクセス・ポイントとＩＰモードで通信するエンティティと、他端にある前記端末との間で、オブジェクトを転送するように構成される、請求項１〜２０の何れか１項に記載のローカル無線通信装置。
【請求項２２】
前記第１のインターフェースは、リクエストに応じて、前記端末と所定のストレージ・エンティティとの間で前記端末の前記オブジェクトを転送するように構成される、請求項１〜２１の何れか１項に記載のローカル無線通信装置。
【請求項２３】
前記第１のインターフェースは、リクエストに応じて、前記端末と前記ＩＰアクセス・ポイントと通信する前記電子装置との間で前記ＩＰアクセス・ポイントとＩＰモードで通信する前記電子装置のオブジェクトを転送するように構成される、請求項１〜２２の何れか１項に記載のローカル無線通信装置。
【請求項２４】
前記ポイントツーポイント通信モジュール、前記第１のインターフェース、および前記ＩＰアクセス・ポイントは、インターネット通信端末内で組み合わせて設けられる、請求項１〜２３の何れか１項に記載のローカル無線通信装置。
【請求項２５】
前記仮想ポートは、シリアル・ポートである、請求項１〜２４の何れか１項に記載のローカル無線通信装置。
【請求項２６】
前記制御インストラクションは、「ＡＴ」タイプのインストラクションである、請求項１〜２５の何れか１項に記載のローカル無線通信装置。